(57)【特許請求の範囲】
【請求項１】
光透過性を有する細長形状であって、内部を進行する光を反射して外表面から外部に出光させる反射部を有する導光部と、
光源又は光源からの光が出光する出光口を有する光源部と、
一方に開口を有する内部空間を含む断面形状の係合部を有し、その内部空間に前記導光部と前記光源部とをそれぞれ係合させ前記係合部の延在方向で略全長に亘ってそれぞれ移動可能に保持する保持部と、を備え、
前記光源又は前記出光口の位置が、前記導光部と前記光源部とを前記係合部に係合した状態で当接させた際に、前記光源又は前記出光口からの光が前記導光部の端面から内部に入射する位置に設定されている発光装置。
【請求項２】
前記係合部の開口は、前記導光部より幅の狭いスリット状である請求項１に記載の発光装置。
【請求項３】
前記導光部の移動を規制する移動規制手段を有することを特徴とする請求項１又は請求項２記載の発光装置。
【請求項４】
前記保持部は、当該発光装置を他の部材に取り付ける際に前記他の部材に当接させる取り付け面部を有していることを特徴とする請求項１〜３のいずれか１項に記載の発光装置。
【請求項５】
前記係合部は直線状に延在していることを特徴とする請求項１〜４のいずれか１項に記載の発光装置。
【請求項６】
前記導光部の前記端面以外の面から外部に出射した光を再度前記導光部の内部に導入するよう反射する反射壁を有することを特徴とする請求項１〜５のいずれか１項に記載の発光装置。
【発明の詳細な説明】
【技術分野】
【０００１】
本発明は、発光装置に係り、特に、線状や細長形状の導光部を備えた発光装置に関する。
【背景技術】
【０００２】
線状や細長形状とされ光源からの光を導光して外部に出光する導光部を備えた発光装置は、例えば、階段の踏み板に取り付けられ、導光部の発光によって踏み板の先端位置を容易に把握できるようにして昇降時の安全性を高めたり、カーテンレールに沿って設けられ、導光部からの出光でカーテンの上方部を照明してインテリア性を高める、などの用途に好適である。
階段の踏み板に取り付けられる発光装置の例として特許文献１に記載されたもの（特許文献１では「照明装置」と称されている）がある。
【先行技術文献】
【特許文献】
【０００３】
【特許文献１】特開２００９−２８０９８９号公報
【発明の概要】
【発明が解決しようとする課題】
【０００４】
このように、線状や細長状の導光部を備えた従来の発光装置は、把握したい部材（把握対象物）に取り付けられてその位置を、導光部からの出光によって人に把握させたり、照明したい部材（照明対象物）を、導光部からの出光によって照明する用途に用いられる。
前者を例にとれば、線状の導光部の長さを、把握対象物の範囲（長手方向の長さ）にほぼ対応した長さとして、その把握対象物専用の発光装置とされていた。
さらに特許文献１においては、照明装置は階段用として製作され、階段の踏み板に埋め込まれて踏み板の位置を把握させるよう設置される階段専用の装置である。
【０００５】
この事例からわかるように、従来の発光装置は、発光の位置を変更したり、他の把握対象物又は照明対象物へ転用することは考慮されてなく、汎用性に富むものではなかった。
例えば、長手方向の発光範囲や発光位置が異なる把握対象物や照明対象物に対しては、それらの寸法に適合した別の装置を製作しなければならず、手間と費用が多く掛かってしまうという問題が生じる。
具体例としては、天井に発光装置を取り付けて壁に掛けられた絵画を照明する用途において、模様替えなどで幅の異なる絵画に交換したり、絵画を掛ける位置を変える場合に、天井の発光装置も、交換後の絵画の幅に適合したその絵画専用の装置に交換しなければならない。
【０００６】
そこで、本発明が解決しようとする課題は、細長形状（線状を含む）の導光部を備えていても、発光位置の変更、異なる把握対象物又は照明対象物への転用が容易で、高い汎用性を有する発光装置を提供することにある。
【課題を解決するための手段】
【０００７】
上記の課題を解決するために、本発明は手段として次の構成を有する。
１）  光透過性を有する細長形状であって、内部を進行する光を反射して外表面から外部に出光させる反射部を有する導光部と、
光源又は光源からの光が出光する出光口を有する光源部と、
一方に開口を有する内部空間を含む断面形状の係合部を有し、その内部空間に前記導光部と前記光源部とをそれぞれ係合させ前記係合部の延在方向で略全長に亘ってそれぞれ移動可能に保持する保持部と、を備え、
前記光源又は前記出光口の位置が、前記導光部と前記光源部とを前記係合部に係合した状態で当接させた際に、前記光源又は前記出光口からの光が前記導光部の端面から内部に入射する位置に設定されている発光装置である。
２）  前記係合部の開口は、前記導光部より幅の狭いスリット状である１）に記載の発光装置である。
３）  前記導光部の移動を規制する移動規制手段を有することを特徴とする１）又は２）に記載の発光装置である。
４）  前記保持部は、当該発光装置を他の部材に取り付ける際に前記他の部材に当接させる取り付け面部を有していることを特徴とする１）〜３）のいずれか１つに記載の発光装置である。
５）  前記係合部は直線状に延在していることを特徴とする１）〜４）のいずれか１つに記載の発光装置である。
６）  前記導光部の前記端面以外の面から外部に出射した光を再度前記導光部の内部に導入するよう反射する反射壁を有することを特徴とする１）〜５）のいずれか１つに記載の発光装置である。
【発明の効果】
【０００８】
本発明によれば、細長形状の導光部を備えていても、発光位置の変更、異なる把握対象物又は照明対象物への転用が容易で、高い汎用性を有する、という効果が得られる。
【図面の簡単な説明】
【０００９】
【図１】本発明の発光装置の実施例を一部破断して示す平面図である。
【図２】本発明の発光装置の実施例を説明するための図１のＳ１−Ｓ１横断面図である。
【図３】本発明の発光装置の実施例を説明するための図１のＳ２−Ｓ２縦断面図である。
【図４】本発明の発光装置の実施例を説明するための図１のＳ３−Ｓ３縦断面図である。
【図５】本発明の発光装置の実施例における要部を説明するための第１の部位の斜視図である。
【図６】本発明の発光装置の実施例における要部を説明するための第２の部位の斜視図である。
【図７】本発明の発光装置の実施例における他の要部を示す斜視図である。
【図８】本発明の発光装置の実施例における他の要部に適用されている部材を示す斜視図である。
【図９】本発明の発光装置の実施例に適用されている部材を説明するための斜視図である。
【図１０】本発明の発光装置の実施例における発光状態を説明するための模式図である。
【図１１】本発明の発光装置の実施例における変形例を説明するための模式図である。
【図１２】本発明の発光装置の実施例における他の変形例を説明するための断面図である。
【発明を実施するための形態】
【００１０】
本発明の実施の形態を、好ましい実施例により図１〜図１２を用いて説明する。
【００１１】
実施例の発光装置５１は、長尺であるため、図１においては中央部を破断し、一方の端部側を上段に、他方の端部側を下段に配置して示している。
図１〜図４において、発光装置５１は、断面形状において略Ｃ字状の係合部１ａ及び係合部１ａに連結しこの発光装置５１を対象物へ取り付けるための台座部１ｂを有するレール状の保持部１と、光透過性を有する細長の板状であって係合部１ａ内に係合して係合部１ａの延在方向（図１の左右方向）に移動可能な導光体２と、係合部１ａ内における導光体２の一方側（図１の左方側）に係合して係合部１ａの延在方向に移動可能なストッパ３と、光源４ａを有し係合部１ａ内における導光体２の他方側（図１の右方側）に係合して係合部１ａの延在方向に移動可能な光源部４と、を有して構成されている。
導光体２は、光源部４からの光を自身の形状に沿うように導く導光部であり、さらにその導いた光を外部に出光する出光機能も有する（詳細は後述する）。
【００１２】
ストッパ３と光源部４とは、係合部１ａの任意の位置でそれぞれ固定ねじＮＪ２，ＮＪ１により固定できるようになっている（詳細は後述する）。
また、導光体２は、内部を進行する光の一部を反射して外表面から外部に出射させる複数の切り込み部２ｋ１〜２ｋｎを有している（詳細は後述する）。
この構成により、導光体２を係合部１ａの延在方向における所望の位置に移動させ、その位置で一方端側への移動をストッパ３で規制し、他方端側への移動を光源部４で規制した状態で、光源部４の光源４ａからの光を導光体２の端面から内部に導入して導光体２の外表面から外部に出射させることができるようになっている。
【００１３】
以下、係合部１ａで案内される導光体２，ストッパ３，及び光源部４の移動軌跡を軌道と称する。図１に示す係合部１ａによる軌道は直線軌道である。
次に各部材について詳述する。
【００１４】
＜保持部１について＞
保持部１は、例えばアルミニウムの押出材で形成されている。
係合部１ａは、袋状ではなく、開口部としてスリット１ａ１が形成されている。
スリット１ａ１は、長手方向に沿って同じ幅Ｗ１で形成されている。
この幅は必ずしも同じ幅でなくてもよく、用途に応じ長手方向において部分的に拡大又は縮小させてもよい。
係合部１ａの内側面１ａｓは、後述する導光体２の側面２ｓから外部に出射した光を反射して再度導光体２内に導入させるため、良好に反射する反射面とされていることが望ましい。この場合、係合部１ａは、導光体２の側面２ｓに対向する反射面を有する反射壁を有する。
また、その内面は光沢面でもよく、反射が拡散して行われるように梨地面とされていてもよい。
保持部１を樹脂材で形成した場合は、係合部１ａの内面を二次加工無しで良好な反射面にすることは難しい。その場合、その内面に対し、良好な反射が行えるよう反射膜を形成してもよく、反射シート等の別部材を貼付などで取り付けてもよい。
台座部１ｂは、取り付け対象物に当接させるための取り付け面部１ｂ１を有する。取り付け面部１ｂ１には、保持部１を対象物に固定するための雄ねじを通す取り付け孔１ｂ１が長手方向に複数箇所形成されている。
【００１５】
＜導光体２について＞
導光体２は、光透過性を有し、細長形状に形成されている。ここで細長形状とは、幅に対して極端に長手が長い、実質線形状として認識されるものも含む。
導光体２は、係合部１ａに係合し係合部１ａの長手方向に、ほぼガタなく、滑らかに移動可能となる断面形状で形成されている。この滑らかさの程度は、自然落下する程度を含め、移動抵抗が生じても指で移動可能な程度であることが好ましい。
発光装置５１においては、導光体２は断面形状が矩形に形成されている。矩形は一例であって、導光体２の断面形状は矩形に限定されない。
【００１６】
導光体２の一方の表面２ａ（図１における手前側の面）に対向する裏面２ｒには、複数の切り込み部２ｋ１〜２ｋｎが形成されている。ここでは、個数をｎ（１以上の整数）とし、光源部４に近い側をｎ＝１として符号は連番で付与している。
図３，図４に示すように、切り込み部２ｋ１〜２ｋｎは、その縦断面形状が略直角三角形となるような三角柱状に抉られた形状を呈している。
この切り込み部２ｋ１〜２ｋｎは、光源部４から導光体２の内部に導光された光ＬＴ１（主に図３，図４の右方から左方へ進行する光）を斜面２ｋｓで反射して表面２ａ側から光ＬＴ２として外部に放出するための反射部として機能する。
従って、斜辺の傾斜角度α（図３参照）は４５°〜６０°が好ましく、５０°〜５５°であるとさらに好ましい。
斜面２ｋｓで反射した光ＬＴ２が導光体２の表面２ａから外部に放出されると、その光の内、保持部１のスリット１ａ１の開口部分において放出された光がスリット１ａ１を通過して、概ね図２の矢印ＤＲ２方向（取り付け面部１ｂ１に対して概ね直交する方向）に出射し、外部から視認される。すなわち、表面２ａは、外部から発光部として視認される面である。
従って、外部から視認される発光エリアは、長手方向が、主として切り込み部２ｋ１〜２ｋｎが形成された範囲となり、幅方向が、スリット１ａ１の幅Ｗ１の範囲となる。
【００１７】
導光体２は、例えば、光透過性を有する樹脂やガラスで形成されている。光透過性を有していれば、透けていても透けていなくてもよい。
樹脂例は、アクリル，ポリカーボネート（ＰＣ），ポリエチレンテレフタレート（ＰＥＴ），エポキシ，シリコンであり、特に、耐久性、加工性が良好なことから、アクリル，ＰＣ，ＰＥＴは好適である。
【００１８】
切り込み部２ｋ１〜２ｋｎの大きさ（幅や深さ）は、１番目からｎ番目まで同じであってもよいし、光源部４からの距離に応じて異ならせてもよい。表面２ａ側から外部に放出する光を長手方向でより均一化させる場合には、光源部４からの距離が遠い程、反射量が増加する形状にするとよい。具体的な方法としては、縦断面形状における斜辺の長さを増加させる、すなわち、斜面２ｋｓの面積を増加させる、などがある。
【００１９】
図５は、導光体２の一方の端面２ｔ１近傍を裏面２ｒ側から見た斜視図である。
導光体２の端面２ｔ１には、反射部材２ｂが設けられている。反射部材２ｂの例は、金属薄膜又は反射シートである。
反射部材２ｂは、光源部４から他方の端面２ｔ２を介して導光体２内に入射した光の内、切り込み部２ｋ１〜２ｋｎで反射せずに通過して端面２ｔ１に到達した光を、外部に出ないよう反射する。
【００２０】
図６は、導光体２の他方の端面２ｔ２近傍を裏面２ｒ側から見た斜視図である。
導光体２の端面２ｔ２は、凹部２ｃの底面とされている。この凹部２ｃは、後述する光源部４の光源４ａの形状に対応して設けられており、凹部２ｃ内に光源４ａが入りこむように導光体２と光源部４との相対位置が決められている。
また、導光体２の外面における端面２ｔ２側の所定範囲ＡＲ１（図６のクロスハッチングの範囲であって表面２ａも含む）は、黒塗装が施されている。
この黒塗装は、導光体２内を延在方向に対して直交に近い方向で進行する光が外面から外部に出射して、高輝度部位として外部から認識されてしまうのを防止するために施されている。特にＬＥＤ４ａ近傍はこの光が多いので、端面２ｔ２側の所定範囲に外面から外部に光が出て行かないように黒塗装する。
黒塗装の代替えとして、外面における該当する範囲に反射膜を設けてもよい。
【００２１】
＜光源部４について＞
図１，図４，図７を主に用いて光源部４について詳述する。
図７は、光源部４を図１の裏面側斜め左方から見上げた斜視図である。
【００２２】
光源部４は、ベース４ｂと、ベース４ｂに取り付けられた発光基板４ｃと、を有して構成されている。発光基板４ｃには端子部４ｔが一対設けられ、端子部４ｔにはそれぞれコード４ｄが接続されている。
コード４ｄの先端には外部と接続するためのコネクタＣＮが取り付けられている（図１参照）。
ベース４ｂは、保持部１の係合部１ａ内に、その延在方向に移動可能として係合する基部４ｂｋと基部４ｂｋから延出した舌片部４ｂ１とを有している。
ベース４ｂは、アルミニウムにより形成されている。ベース４ｂの材料は限定されないが、ＬＥＤ４ａが発生する熱を良好に伝導して表面積の大きい保持部１へ逃がせるように、アルミニウムを代表とする熱伝導率の高い材料が好ましい。
舌片部４ｂ１の幅Ｗ２は、スリット１ａ１の幅Ｗ１とほぼ同じか僅かに小さく形成されており、光源部４は、係合部１ａ内を、舌片部４ｂ１がスリット１ａ１の間に嵌り込むようにして移動可能となっている。
【００２３】
基部４ｂｋには、固定ねじＮＪ１が螺合する雌ねじ部４ｂ２が設けられている。
光源部４が係合部１ａ内に係合した状態で固定ねじＮＪを締め付けると、固定ねじＮＪ１の先端が台座部１ｂを押しつけるので、光源部４は係合部１ａの所望の位置で固定される。
すなわち、光源部４は、導光体２の軌道上での移動を規制する移動規制手段であり、また、導光体２を軌道上の所望の位置で固定する固定手段でもある。
【００２４】
発光基板４ｃはフレキシブル基板であって、ベース４ｂの基部４ｂｋに取り付けられている。
図８は、発光基板４ｃの斜視図である。
発光基板４ｃは、平坦な基部４ｃ１とその先端縁から直交方向に折り曲げられた折り曲げ部４ｃ２とを有して略Ｌ字状に形成されてたフィルム状のベース部４ｃｋと、折り曲げ部４ｃ２の外側面に取り付けられた光源であるＬＥＤ４ａと、基部４ｃ１に取り付けられた抵抗４ｅと、一対の端子部４ｔと、を有して形成されている。ＬＥＤ４ａ，抵抗４ｅ，及び端子部４ｔは所定のパターンで結線されている。
一対の端子部４ｔにはそれぞれコード４ｄが接続され、コード４ｄの先端には外部と接続するためのコネクタＣＮが取り付けられている（図１参照）。
コード４ｄは、ベース４ｂと台座部１ｂとの間に形成される空間Ｖ（図２参照）を通して外部に延出される。
ＬＥＤ４ａを発光させる発光信号等を出力する外部機器の接続部にコネクタＣＮを接続することで、外部機器からの発光信号等に基づき、ＬＥＤ４ａは発光する。
【００２５】
図７に示すように、発光基板４ｃは、ベース４ｂに対し、舌片部４ｂ１の根本付近にＬＥＤが位置するよう接着等で取り付けられる。
ＬＥＤ４は、導光体２と光源部４とを当接させた際に導光体２の端面２ｔ２と対向する位置にある。
また、端面２ｔ２に対し、導光体２の延在方向に対して直交する方向のいずれにおいも、ほぼ中央位置で対向するようになっている。
すなわち、光源４ａの位置は、軌道上で導光体２と光源部４とを当接させた際に、光源４ａからの光が導光体２の端面２ｔ２から内部に入射する位置に設定されている
【００２６】
図６に示した導光体２の端面２ｔ２の両脇の端面２ｔ３，２ｔ４は、ベース４ｂの基部４ｂｋにおけるＬＥＤ４ａの両脇の面４ｂｋ１，４ｂｋ２にそれぞれ当接する。
【００２７】
ＬＥＤ４ａは、傾向として、出力が高い程、すなわち高輝度であるほど、出光角が広くなる。すなわち、広指向性となる。
この特性に対応して、本実施例では、導光体２に凹部２ｃを設け、その凹部２ｃで形成された空間内にＬＥＤ４ａを位置させている。
これにより、ＬＥＤ４ａから広い角度範囲で放出した光を、遍く導光体２内に取り込めるようになっている。
【００２８】
舌片部４ｂ１は、スリット１ａ１にほぼ隙間なく収まると共に、導光体２の表面２ａにおける端面２ｔ２側の所定範囲を覆うようになっている。
これにより、ＬＥＤ４ａから導光体２内にその延在方向に対して直交方向に近い大きな角度で入射した光が台座部１ｂで反射して表面２ａから外部に放出され、局所的に過剰な高輝度部位として視認されることを防いでいる。
すなわち、舌片部４ｂ１は、表面２ａから外部に放出された光を反射して再度導光体２内に導入させる反射壁として機能する。
【００２９】
＜ストッパ３について＞
図９において、ストッパ３は、光源部４におけるベース４ｂと同じものが使用できるので、コストメリットのため共通化している。
すなわち、ストッパ３は、ベース４ｂそのものであって、光源部４と同様に固定ねじＮＪ２により、係合部２の任意の位置で固定することができる。
従って、ストッパ３は、導光体２の軌道上での移動を規制する移動規制手段である。また、導光体２を軌道上の所望の位置で固定する固定手段でもある。
その際、導光体２の端面２ｔ１と当接面３ｔとを当接又は近接対向させる。
【００３０】
ストッパ３の材質は限定されないが、アルミニウム等の反射率の高い材料で形成した場合、導光体２の端面２ｔ１に設ける反射部材２ｂは省略してもよい。
仮に光が導光体２内から端面２ｔ１を通過して外部に出光しても、ストッパ３の当接面３ｔで反射して再び導光体２の内部に導入される。すなわち、ストッパ３は、当接面３ｔを有する反射壁を備えている。
【００３１】
上述した光源装置５１において、導光体２とストッパ３と光源部４との合計長さよりも係合部１ａの長さが長くなっている。これにより、導光体２を移動して移動可能な範囲内における任意の位置で発光させることができる。
以下、説明容易のため、導光体２に対してストッパ３及び光源部４を当接させた３者一体のものを、便宜的に発光体ＨＴと称する。
【００３２】
図１０（ａ）〜（ｃ）は、導光体２の位置を変えた発光状態を説明する模式図である。
各図において、ハッチングを付した範囲が非発光範囲であり、ハッチングを付していない白抜きの範囲が発光範囲である。
図１０（ａ）は、保持部１の最も左側に発光体ＨＴを位置させた状態であり、図１０（ｂ）は、保持部１の中央付近に発光体ＨＴを位置させた状態であり、図１０（ｃ）は、保持部１の最も右側に発光体ＨＴを位置させた状態を示している。
【００３３】
＜変形例１＞
係合部１ａの一端をゴムなどのキャップにより塞ぎ、コード４ｄが延出する側をグロメットで塞ぎ、スリット１ａ１を塞ぐように係合部１ａの表面に透明のフィルムを貼付することで、保持部１内に外部から雨や水などの液体が浸入することを防止できる。すなわち、防滴性や防水性が向上する。
従って、発光装置５１を、屋外や水がかかる可能性の高い所に設置して使用することが可能となる。
また、係合部１ａの内部等へ外部からゴミは埃が侵入することを有効に防止できるので、防塵性が向上する。
従って、発光装置５１を、埃の多い場所や粉塵が発生する場所などで使用することができる。
【００３４】
更なる変形例として、導光体２と光源部４との突き合わせ部分を含む所定範囲を、熱収縮チューブで覆うことにより、外部から水等の液体が発光基板４ｃへ浸入することを防止できる。導光体２及び光源部４と係合部１ａとの係合を遊嵌状態に設定し、熱収縮チューブをかぶせた状態で良好な移動感触が得られるように寸法設定をしておくとよい。
この場合においても、防滴性や防水性が向上するので、発光装置５１を、屋外や水などの液体がかかる可能性の高い所に設置して使用することが可能となる。
【００３５】
＜変形例２＞
保持部１に複数の発光体ＨＴを係合させてもよい。
図１１（ａ），（ｂ）は、保持部１に一例として３つの発光体ＨＴ１〜ＨＴ３を係合させた発光装置５２を模式的に示した図である。
各図において、ハッチングを付した範囲が非発光範囲であり、ハッチングを付していない白抜きの範囲が発光範囲である。
図１１（ａ）に示すように、発光体ＨＴ１〜ＨＴ３は、それぞれの係合順が入れ替わらない範囲で、保持部１上の自由な位置に固定することができる。
各発光体ＨＴ１〜ＨＴ３は互いに離間していなくてもよい。
また、図１１（ｂ）に示すように、互いを連結することで、各発光体の単独では得られない長さの発光部を得ることができる。
【００３６】
＜変形例３＞
光源部４は、電源を内蔵し外部入力によらず自発光するようにしてもよい。発光基板４ｃはＬＥＤ４ａの発光を制御する制御部を備える。
この変形例は、外部にコード４ｄが延出しないので、施工作業がより容易である。
更に発光基板に通信部を備え、外部機器との無線通信により外部の制御部からの指令で発光が制御されるようにしてもよい。
【００３７】
＜変形例４＞
実施例の発光装置５１の軌道は直線に限らない。
保持部１，導光体２，ストッパ３，及び光源部４のベース４ｂを、ある程度の変形可能な材料（ゴム質の含有比率の高い樹脂材）で形成することにより、曲線軌道とすることができる。
曲線は一平面内に設定されるものに限らない。三次元的に湾曲していてもよい。
【００３８】
上述した実施例及び変形例によれば、保持部１を所定の部材に設置後も、導光体２の位置を軌道上（係合部１ａでの移動可能範囲）の所望の位置に移動させ、その位置で固定することができる。
これにより、長手方向の発光位置の変更が容易であり、把握対象物や照明対象物に対して専用のものを製作しなくても対象物を把握させたり照明することができる。
例えば、部屋の天井隅に保持部１を取り付けておけば、壁に掛けられた絵画を交換したり、絵画を掛ける位置を変更しても、導光体２の位置を容易に移動できるので、発光装置全体を交換する必要がなく、便利である。
【００３９】
導光体２を別の長さの導光体と交換することにより、把握対象物や照明対象物の長手長さが異なるものへの対応も容易に可能である。
このように、実施例の発光装置５１，５２は、極めて汎用性に富む。
【００４０】
本発明の実施例及び変形例は、上述した構成及び手順に限定されるものではなく、本発明の要旨を逸脱しない範囲においてさらに別の変形例としてもよいのは言うまでもない。
【００４１】
導光体２とストッパ３又は光源部４は、係合手段により互いに係合し合うように構成してもよい。具体例としては、導光体２の側面に凹部を形成し、ストッパ３又は光源部４の側面に導光体２の凹部に係合する突起を有して延出する可撓性腕部を設け、いわゆるスナップフィット係合とする。
【００４２】
実施例ではスリット１ａ１から出光する光の方向が概ね取り付け面部１ｂ１に対して直交する方向の例を説明したが、これに限るものではない。
スリット１ａ１からの出光方向と取り付け面部１ｂ１が含まれる平面との角度は限定されない。
例えば、図１２に示すように、取り付け面部１ｂ１に対して出光方向ＤＲ１２
が直交以外の角度（例えば概ね平行）となるように保持部１Ａの断面形状を設定してもよい。
【００４３】
導光体２の両端側にそれぞれ光源部を設け、両端面から光を内部に入射させるようにしてもよい。この場合、切り込み部は、縦断面形状が長手方向に対称逆向きの略三角形となるものを併設する。これにより、発光強度を増加させることができる。
【００４４】
光源はＬＥＤに限定されない。例えば、外部光源からの光を光ファイバで導光し、導光部の端面から内部に入光するように構成してもよい。すなわち、上述した光源４ａの位置に光ファイバの出光口が位置するように配置すればよい。
【００４５】
導光体２の軌道上の移動を規制する手段は限定されない。
導光体２又はストッパ３若しくは光源部４を樹脂材で形成すると共に保持部に対して付勢して摩擦力を発生させる可撓性の樹脂腕部を形成し、自然落下せず、かつ、所定の力以上の力を付与しないと摺動しないように付勢力等が設定された規制手段としてもよい。
【００４６】
係合部１ａにおける係合のための形状は断面Ｃ字状に限定されない。所定の軌道上を少なくとも導光体２と光源部４とが移動可能なよう係合するものであればよい。
【００４７】
保持部１において、台座部１ｂは必ずしも必要ではない。台座部１ｂを有していない場合は、例えば、保持部１の外面に、この発光装置５１を取り付ける相手部材と当接する当接面を設けてもよい。
発光装置５１と外部との接続については、コネクタＣＮを先端に有するコード４ｄを備えずに、コネクタＣＮを発光基板４ｃに実装し、外部の機器等に接続されたコードを発光基板４ｃに実装したコネクタに装着するようにしてもよい。
【００４８】
以上詳述した実施例及び各変形例は、互いに自由に組み合わせることができる。
【符号の説明】
【００４９】
１，１Ａ  保持部
１ａ  係合部、１ａ１  （開口部）スリット，１ａｓ  内側面
１ｂ  台座部、１ｂ１  取り付け面部、１ｂ２  取り付け孔
２  導光体（導光部）
２ａ  表面、２ｂ  反射部材、２ｃ  凹部、２ｒ  裏面
２ｋ１〜２ｋｎ  切り欠き部、２ｋｓ  斜面
２ｓ  側面、２ｔ１  （一方の）端面、２ｔ２  （他方の）端面
３  ストッパ、３ｔ  当接面
４  光源部
４ａ  （光源）ＬＥＤ
４ｂ  ベース、４ｂｋ  基部、４ｂ１  舌片部、４ｂ２  雌ねじ部
４ｃ  発光基板
４ｃ１  基部、４ｃ２  折り曲げ部、４ｃｋ  ベース部
４ｔ  端子部
５１  発光装置
ＨＴ  発光体
ＮＪ１，ＮＪ２  固定ねじ
Ｖ  空間
Ｗ１，Ｗ２  幅
【図１】
0005349536.tif 000002
【図２】
0005349536.tif 000003
【図３】
0005349536.tif 000004
【図４】
0005349536.tif 000005
【図５】
0005349536.tif 000006
【図６】
0005349536.tif 000007
【図７】
0005349536.tif 000008
【図８】
0005349536.tif 000009
【図９】
0005349536.tif 000010
【図１０】
0005349536.tif 000011
【図１１】
0005349536.tif 000012
【図１２】
0005349536.tif 000013